(57)【特許請求の範囲】
【請求項１】
衣類を掛ける掛け棒を複数本有する掛け枠と、この掛け枠を回転可能に支持した状態で衣類を掛けたり取り外したりするときに壁面に沿って吊り下げられる吊り下げ枠とを備えたハンガーにおいて、
前記吊り下げ枠が壁面に沿って掛けられて前記掛け枠を斜め方向から支持することで前記掛け枠がその一側を壁面に当接して水平に支持された状態における前記掛け枠の少なくとも壁面への当接側に、前記壁面と同一面に沿って折り曲げて成形され壁面に当接して掛け枠を水平に支持する水平支持足部を設けたことを特徴とするハンガー。
【請求項２】
請求項１に記載のハンガーにおいて、
前記掛け棒のうち、前記掛け枠が垂直に支持された状態で上側に位置する面に滑り止め処理を施したことを特徴とするハンガー。
【請求項３】
請求項１または２に記載のハンガーにおいて、
前記掛け枠と吊り下げ枠との間に回動規制部材を設けたことを特徴とするハンガー。
【請求項４】
請求項３に記載のハンガーにおいて、
前記回動規制部材が、前記掛け枠の回動限界を規制するストッパと、掛け枠を前記回動限界内で複数段に角度調整をする角度調整機構とから構成されたことを特徴とするハンガー。
【発明の詳細な説明】
【０００１】
【産業上の利用分野】
本発明は、ズボン等の衣類を掛けるハンガーに関する。
【０００２】
【従来の技術】
従来のハンガーとしては、例えば実開平３−８５９６８号公報や実開昭６３−１６７９６６号公報記載のものが知られている。
【０００３】
第１従来例のハンガーは、図９に示すように、衣類を掛ける掛け棒１Ａを２本有する掛け枠１と、この掛け枠１を回転可能に支持する吊り下げ枠２と、掛け枠１と吊り下げ枠２の間に設けられ角度を調整する角度調整機構３とから構成されている。吊り下げ枠２にはフック４が設けられている。
【０００４】
角度調整機構３は、図１０に示すように、吊り下げ枠２の端部に取り付けられた基部体５と、掛け枠１に取り付けられた係止基部６と、係止棒７Ａを有する係止円盤７とからなる。基部体５には、係止棒７Ａを貫通させる貫通穴５Ａが１つ設けられている。係止基部６には、貫通穴５Ａに貫通した係止棒７Ａの先端部を挿入させて基部体５と係止基部６とを固定する袋穴６Ａが等間隔に８つ設けられている。
【０００５】
第２従来例のハンガーは、図１１に示すように、四角形の枠体１１と、並列に４本取り付けられた掛け棒１２と、この掛け棒１２を枠体１１側に支持する支持部材１３とから構成されている。枠体１１の上側部にはフック１４が取り付けられている。
【０００６】
各掛け棒１２にはその全周にゴム質の管を装着し、衣類が滑り落ちるのを防いでいる。
【０００７】
【発明が解決しようとする課題】
ところで、前記第１従来例では、角度調整機構３による掛け枠１と吊り下げ枠２との角度調整は、係止円盤７を外し、係止棒７Ａを基部体５の貫通穴５Ａ及び係止基部６の袋穴６Ａから外して差し替えなければならず、その調整作業が煩雑で、使いやすいものではなかった。
【０００８】
また、掛け枠１と吊り下げ枠２との間の角度を調整してロッカーの扉等に掛けた場合でも、掛け枠１が扉等の壁面に当接した状態で安定性が悪いため、衣類を掛けづらく、外しづらいという問題点がある。
【０００９】
第２従来例では、掛け棒１２の全周に滑り止め用の管を設けたので、これにより掛け棒１２に掛けた衣類が滑り落ちるのを防止することができる。ところが、衣類を掛けるとき及び外すときには、滑り止め用の管が衣類の滑りを悪くしてしまう。このため、衣類の掛け外しがしずらいという問題点がある。
【００１０】
本発明は以上述べたような問題点に鑑みてなされたもので、壁面に当接して掛けたときに安定性がよく、衣類の掛け外しが容易なハンガーを提供することを目的とする。
【００１１】
【課題を解決するための手段】
前述した課題を解決するために第１の発明に係るハンガーは、衣類を掛ける掛け棒を複数本有する掛け枠と、この掛け枠を回転可能に支持した状態で衣類を掛けたり取り外したりするときに壁面に沿って吊り下げられる吊り下げ枠とを備えたハンガーにおいて、前記吊り下げ枠が壁面に沿って掛けられて前記掛け枠を斜め方向から支持することで前記掛け枠がその一側を壁面に当接して水平に支持された状態における前記掛け枠の少なくとも壁面への当接側に、前記壁面と同一面に沿って折り曲げて成形され壁面に当接して掛け枠を水平に支持する水平支持足部を設けたことを特徴とする。
【００１２】
第２の発明に係るハンガーは、前記掛け棒のうち、前記掛け枠が垂直に支持された状態で上側に位置する面に滑り止め処理を施したことを特徴とする。
【００１３】
第３の発明に係るハンガーは、前記掛け枠と吊り下げ枠との間に回動規制部材を設けたことを特徴とする。
【００１４】
第４の発明に係るハンガーは、前記回動規制部材が、前記掛け枠の回動限界を規制するストッパと、掛け枠を前記回動限界内で複数段に角度調整をする角度調整機構とから構成されたことを特徴とする。
【００１５】
【作用】
第１の発明では、掛け枠の掛け棒には衣類が掛けられる。この掛け枠は吊り下げ枠によって回転可能に支持され、収納時には通常掛け枠が垂直に畳まれており、衣類を掛けたり取り外したりするときに壁面に沿って掛けられる。この状態で、掛け枠の一側に設けられた水平支持足部が壁面に当接し、掛け枠を水平状態に支持する。
【００１６】
第２の発明では、掛け枠を垂直状態に支持したときは、滑り止め処理された部分は掛け棒の上側に位置する。このため、掛け棒に掛けられた衣類はこの滑り止め処理部分に直接当接し、ずり落ちることなく確実に支持される。
【００１７】
掛け枠を水平状態に支持したときは、滑り止め処理部分は掛け棒の横方向に位置する。衣類を掛けたり、外したりする際には、衣類と滑り止め処理部分とが接触しないように掛け棒の他側面に当てて掛け外す。これにより、衣類が掛けずらかったり、外しずらいということがなくなる。
【００１８】
滑り止め処理としては、掛け棒の表面を加工したり、ゴム等の滑り止め用の材料を貼設する。
【００１９】
第３の発明では、掛け枠と吊り下げ枠との間に回動規制部材を設けたので、掛け枠と吊り下げ枠との間の角度を容易に調整することができる。これにより、掛け枠と吊り下げ枠の角度を適宜調整して、ロッカーの扉等に掛けたときに、掛け枠を容易にかつ確実に水平に保つことができる。
【００２０】
第４の発明では、回動規制部材のストッパによって掛け枠と吊り下げ枠との間の回動が一定角度に制限され、必要以上に回動するのを防止する。また、角度調整機構によって掛け枠を回動限界内で複数段に角度を適宜調整することができる。
【００２１】
【実施例】
以下、本発明の実施例について図面を参照しながら説明する。
【００２２】
［第１実施例］
図１は本実施例に係るハンガー２１の掛け枠２２を水平に支持した状態を示す斜視図、図２はハンガー２１の掛け枠２２を折り畳んだ状態を示す斜視図、図３は掛け枠２２を垂直にした状態での衣類の掛かり具合を示す断面図、図４は掛け枠２２を水平にした状態での衣類の掛かり具合を示す断面図である。
【００２３】
ハンガー２１は図１及び図２に示すように主に、ズボン等の衣類２９（図３参照）を掛ける掛け枠２２と、この掛け枠２２を回転可能に支持する吊り下げ枠２３とから構成されている。
【００２４】
掛け枠２２は、衣類を直接掛けて支持するために水平にかつ並列に複数本（本実施例においては４本）配設された掛け棒２２Ａと、各掛け棒２２Ａをその両側で支持する支持棒２２Ｂとから構成されている。さらに、掛け棒２２Ａは、衣類を直接掛ける水平棒部２２Ｃと、この水平棒部２２Ｃの両端において上方に立上げて形成された立上げ部２２Ｄとから構成されている。掛け棒２２Ａと支持棒２２Ｂとは、掛け棒２２Ａの立上げ部２２Ｄが支持棒２２Ｂの下側に接続して一体的に構成されている。
【００２５】
吊り下げ枠２３は、全体をコ字状に形成され、その両端部が掛け枠２２の支持棒２２Ｂの中央部に回転可能に取り付けられている。吊り下げ枠２３の上側中央部には、例えばロッカー２６の扉２６Ａの上端部に掛けられるようにフック２４が回転可能に取り付けられている。
【００２６】
さらに、掛け枠２２の両側端部、即ち吊り下げ枠２３がロッカー２６の扉２６Ａ等の壁面に沿って掛けられ、掛け枠２２がその一側を壁面に当接して水平に支持された状態（図１の状態）における壁面への当接部及びその反対側部分には、掛け枠２２を水平状態に支持する水平支持足部２７が設けられている。この水平支持足部２７は、掛け枠２２を水平にした状態で壁面と同一となる面（垂直面）に沿って折り曲げて成形され、壁面に当接することで、掛け枠２２を水平状態に安定して支持する。なお本実施例では、掛け棒２２Ａの立上げ部２２Ｄが水平支持足部２７として機能している。
【００２７】
前記掛け棒２２Ａにはその一部に滑り止め処理が施されている。具体的には掛け枠２２が垂直状態（図２及び図３の状態）のとき、掛け棒２２Ａの上側に位置する面に滑り止め用ゴム２８が貼設されている。なお、滑り止め処理としては、掛け棒２２Ａの表面を滑らないように加工してもよい。また、ゴム以外にも他の滑り止め用材料を貼設してもよい。
【００２８】
以上のように構成されたハンガー２１では、衣類２９を掛けたり、取り外したするときには、吊り下げ枠２３のフック２４をロッカー２６の扉２６Ａの上端等にその壁面に沿った状態で掛ける。吊り下げ枠２３に支持された掛け枠２２では、この掛け枠２２を水平状態にすると、その一側の水平支持足部２７が壁面に当接する。
【００２９】
ところで、掛け枠２２が水平に支持されるときは、吊り下げ枠２３はフック２４が扉２６Ａに掛けられて掛け枠２２を斜め方向壁側から支持するため、この水平支持足部２７は壁面に当接した状態である程度の力で圧接される。これにより、壁面に圧接された水平支持足部２７で掛け枠２２が水平状態に確実にかつ安定的に支持される。
【００３０】
この状態で、掛け枠２２の掛け棒２２Ａに衣類２９を掛ける。このとき、滑り止め用ゴム２８は、図４に示すように、掛け棒２２Ａの横側（図４において左側）に位置している。衣類２９を掛け棒２２Ａに掛けるときは、衣類２９で掛け棒２２Ａを挟んだ状態で掛け棒２２Ａの右側に衣類２９が当接するようにして上側から下側に降ろす。これにより、衣類２９が滑り止め用ゴム２８に接触することがほとんどなくなり、衣類２９を掛け棒２２Ａにスムーズに掛けることができる。また、衣類２９を掛け棒２２Ａから取り外すときも同様である。
【００３１】
衣類２９を掛け棒２２Ａに掛けてロッカー２６内等に収納するときは、図２に示すように、掛け枠２２を垂直に畳む。これにより、図３に示すように、滑り止め用ゴム２８が掛け棒２２Ａの上側に移動し、衣類２９と直接に接触するようになる。これにより、滑り止め用ゴム２８が衣類２９のずれを押え、衣類２９が掛け棒２２Ａから滑り落ちるのを確実に防止することができる。
【００３２】
［第２実施例］
図５は回動規制部材を示す分解斜視図、図６は回動規制部材の変形例を示す分解斜視図である。本実施例のハンガー３１の全体構成は、前記第１実施例のハンガー２１とほぼ同様であり、同一部分には同一符号を付してその説明を省略する。
【００３３】
本実施例の特徴は、掛け枠２２と吊り下げ枠２３との間に回動規制部材３２を設けたことにある。この回動規制部材３２は、図５に示すように、支持棒２２Ｂの中央部にこの支持棒２２Ｂと一体的に取り付けられた基盤３４と、吊り下げ枠２３の端部に取り付けられ基盤３４に回転可能に装着される回転盤３５とから概略構成されている。
【００３４】
基盤３４は肉厚の円盤状に形成され、その中央部に後述する回転軸３５Ｂを回転可能に支持する軸穴３４Ａが設けられている。回転盤３５は、皿状の基板３５Ａと、この基板３５Ａの中央部に設けられた回転軸３５Ｂとから構成されている。
【００３５】
基盤３４には軸穴３４Ａを中心にした扇形の凹部３４Ｂが設けられている。回転盤３５の基板３５Ａには前記凹部３４Ｂに嵌合しこの凹部３４Ｂの扇形の角度内に回動限界が規制される突条３５Ｃが形成されている。そして、これら凹部３４Ｂと突条３５Ｃとでストッパが構成されている。このストッパで規制する角度は、扇形の凹部３４Ｂの扇の角度によって決まり、本実施例では９０度に設定されている。なお、この規制角度は必要に応じて適宜設定する。
【００３６】
さらに、基盤３４の凹部３４Ｂ内には等間隔に３つの長溝３７が設けられている。この長溝３７は軸穴３４Ａを中心に放射状に刻まれた細長く浅い溝によって構成されている。さらに、軸穴３４Ａを中心にした前記３つの長溝３７の対称位置にも、この長溝３７と同様の３つの長溝３８が設けられている。各長溝３７，３８の配設角度は、０度、４５度、９０度（掛け枠２２に対して吊り下げ枠２３が取る角度）に設定されている。なお、この角度は、掛け枠２２及び吊り下げ枠２３の寸法等の違いによって異なり、フック２４を扉２６Ａに掛けたときに掛け枠２２が水平になるようにする場合等を考慮して適宜設定される。長溝３７，３８の配設数も、必要に応じて適宜設定される。
【００３７】
回転盤３５の基板３５Ａには、前記各長溝３７，３８に嵌合する嵌合突起３９，４０が設けられている。嵌合突起３９，４０は、回転軸３５Ｂを中心にした対称位置に２つだけ設けられ、３つずつ設けられた長溝３７，３８に選択的に嵌合するようになっている。一方の嵌合突起３９は、突条３５Ｃの上端面に形成され、凹部３４Ｂ内に設けられた長溝３７に選択的に嵌合する。他方の嵌合突起４０は長溝３８に選択的に嵌合する。そして、これら長溝３７，３８と嵌合突起３９，４０とで、掛け枠２２を複数段に角度調整する角度調整機構が構成されている。
【００３８】
回転軸３５Ｂの先端にはねじ穴３５Ｄが設けられ、この回転軸３５Ｂが基盤３４の軸穴３４Ａに嵌合され、その反対側からねじ５０で固定される。さらに、基盤３４とねじ５０との間には平ワッシャ５０Ａ及びウェーブワッシャ５０Ｂが介装される。このウェーブワッシャ５０Ｂによって回転盤３５が基盤３４に弾性的に支持される。
【００３９】
以上の構成により、吊り下げ枠２３を掛け枠２２に対して回動させると、回転盤３５の突条３５Ｃが基盤３４の凹部３４Ｂ内で回動する。そして、突条３５Ｃが凹部３４Ｂの側壁に当接した時点で、吊り下げ枠２３の回動は規制される。本実施例では、この吊り下げ枠２３が回動し得る角度は、掛け枠２２と平行な状態から垂直になるまでの９０度である。
【００４０】
さらに、吊り下げ枠２３を回動する際には、角度調整機構を構成する長溝３７，３８と嵌合突起３９，４０とによって、０度、４５度、９０度の３段階で吊り下げ枠２３が支持される。具体的には、例えば吊り下げ枠２３を掛け枠２２に対して平行な状態（図２の状態）から回動させると、０度に対応する長溝３７，３８に嵌合していた各嵌合突起３９，４０が、ウェーブワッシャ５０Ｂの弾性支持に抗して各長溝３７，３８から外れる。そして、吊り下げ枠２３を４５度回動させると、各嵌合突起３９，４０が次の長溝３７，３８に嵌合し、この角度で吊り下げ枠２３が掛け枠２２に対して支持される。９０度回動させる場合も同様の作用で吊り下げ枠２３が支持される。
【００４１】
本実施例では主に、０度と４５度の状態で使用する。即ち、掛け枠２２と吊り下げ枠２３との間を４５度の角度にした状態で吊り下げ枠２３のフック２４を扉２６Ａに掛け、掛け枠２２を水平状態に支持する（図１参照）。さらに、０度にした状態で掛け枠２２を垂直状態にし、ロッカー２６内に収納する（図２参照）。
【００４２】
なお、本実施例では、ストッパを凹部３４Ｂと突条３５Ｃとで構成したが、図６に示すように、基盤４１に設けられた係合突起４２と、回転盤４３に設けられた切欠き４４とによって構成してもよい。係合突起４２は軸穴４５を中心にして対称位置に２つ設けられている。切欠き４４は、回転盤４３の基板４３Ａの周縁に回転軸４３Ｂを中心にした対称位置に２つ設けられている。各切欠き４４は、回転軸４３Ｂを中心に９０度の角度をなす長さに設定され、吊り下げ枠２３を９０度回動させる。回転軸４３Ｂの先端部は、茸状に拡径して形成され、さらに中央部にスリットを入れて２つ割りに形成されている。この回転軸４３Ｂはスリットの間隔が互いに縮みながら軸穴４５に挿入され、完全に挿入されたところでスリットが開いて先端の茸部分が軸穴４５に引っ掛かり、基盤４１と回転盤４３とが互いに結合されるようになっている。この場合、前記ウェーブワッシャ５０Ｂのような弾性は部材はないが、基盤４１と回転盤４３自体の弾性によって前記実施例同様の作用を奏する。また、回転軸４３Ｂの先端にウェーブワッシャ５０Ｂを装着してもよい。
【００４３】
長溝４６，４７及び嵌合突起４８，４９も、前記実施例の長溝３７，３８及び嵌合突起３９，４０と同様に形成形成されている。なお、ここでは凹部３４Ｂと突条３５Ｃが設けられていないので、各長溝４６，４７及び嵌合突起４８，４９は全部同一平面内に設けられている。
【００４４】
これによっても、前記同様の作用、効果を奏することができる。
【００４５】
［第３実施例］
図７は水平支持足部を他の形状にした変形例を示す斜視図、図８は水平支持足部及び掛け棒を他の形状にした変形例を示す斜視図である。
【００４６】
本実施例のハンガー５１の全体構成は、前記第１実施例とほぼ同様であり、同一部分には同一符号を付して、その説明を省略する。
【００４７】
本実施例の特徴部分は、図７に示すように、掛け枠５２の水平支持足部５３を掛け棒２２Ａの立上げ部２２Ｄとは別に、支持棒２２Ｂを延長してその両端部にそれぞれ形成している。この水平支持足部５３は、隣り合う２つの水平支持足部５３でできる面が垂直になるように、即ち掛け枠５２を水平にした状態で扉２６Ａの壁面と同一面になるように、折り曲げて形成されている。本実施例では支持棒２２Ｂを垂直方向に９０度折り曲げて水平支持足部５３を形成している。
【００４８】
なお、水平支持足部５３の折曲げ方向としては、垂直方向に限らず、斜め方向であっても扉２６Ａの壁面と同一面になるように折り曲げれば、第１実施例同様の作用、効果を奏することができる。
【００４９】
また、掛け棒２２Ａは水平棒部２２Ｃと立上げ部２２Ｄとから構成したが、図８に示すように、立上げ部２２Ｄを無くし、水平棒部２２Ｃのみにしてもよい。
【００５０】
さらに、前記各実施例では、水平支持足部２７，５３を支持棒２２Ｂの両端部にそれぞれ設けたが、一方にのみ設けてもよい。
【００５１】
【発明の効果】
以上詳細に説明したように本発明によれば、次の効果を奏することができる。
【００５２】
（１）  水平支持足部を設けたので、この水平支持足部が壁面に当接して、掛け枠を水平状態に安定的に支持することができるようになる。
【００５３】
（２）  掛け棒のうち、掛け枠が垂直に支持された状態で上側に位置する面に滑り止め処理を施したので、掛け棒に掛けられた衣類は収納時にこの滑り止め処理部分に直接当接し、ずり落ちることなく確実に支持される。
【００５４】
（３）  掛け枠と吊り下げ枠との間に回動規制部材を設けたので、掛け枠と吊り下げ枠との間の角度を容易に調整することができるようになる。
【００５５】
（４）  回動規制部材を、掛け枠の回動限界を規制するストッパと、掛け枠を回動限界内で複数段に角度調整をする角度調整機構とから構成したので、ストッパによって掛け枠と吊り下げ枠との間の回動を一定角度に制限して、必要以上に回動するのを防止することができるようになる。さらに、角度調整機構によって掛け枠を回動限界内で複数段に角度を適宜調整することができるようになる。
【図面の簡単な説明】
【図１】本発明に係るハンガーの掛け枠を水平に支持した状態を示す斜視図である。
【図２】ハンガーの掛け枠を折り畳んだ状態を示す斜視図である。
【図３】掛け枠を垂直にした状態での衣類の掛かり具合を示す断面図である。
【図４】掛け枠を水平にした状態での衣類の掛かり具合を示す断面図である。
【図５】回動規制部材を示す分解斜視図である。
【図６】回動規制部材の変形例を示す分解斜視図である。
【図７】水平支持足部を他の形状にした変形例を示す斜視図である。
【図８】水平支持足部及び掛け棒を他の形状にした変形例を示す斜視図である。
【図９】第１従来例を示す斜視図である。
【図１０】図９のハンガーの角度調整部を示す分解斜視図である。
【図１１】第２従来例を示す斜視図である。
【符号の説明】
２１…ハンガー、２２…掛け枠、２２Ａ…掛け棒、２２Ｂ…支持棒、２３…吊り下げ枠、２６…ロッカー、２７…水平支持足部、２８…滑り止め用ゴム、２９…衣類。
【図１】
0003543839.tif 000002
【図２】
0003543839.tif 000003
【図３】
0003543839.tif 000004
【図４】
0003543839.tif 000005
【図５】
0003543839.tif 000006
【図６】
0003543839.tif 000007
【図７】
0003543839.tif 000008
【図８】
0003543839.tif 000009
【図９】
0003543839.tif 000010
【図１０】
0003543839.tif 000011
【図１１】
0003543839.tif 000012